(57)【要約】【課題】殺菌等の機能を最大限に発揮できるように腰かけ便器の便蓋裏面の所定位置に殺菌シートを張設して宣伝機能と共に殺菌機能を最大限に発揮できる殺菌等機能を有する腰かけ便器を提供する。【解決手段】便器本体の便蓋内側に、裏面に粘着剤を塗布した略Ａ４タイプの大きさの殺菌・除菌・抗菌等の機能を有する機能シートを貼付し、便蓋閉蓋時に機能シート表面から便器本体内部と共に便器本体の周囲にも殺菌・除菌・抗菌等の機能作用を及ぼすように構成した殺菌等機能を有する腰かけ便器を提供する。【選択図】図１
2020010820.tif 000002
【特許請求の範囲】
【請求項１】
便器本体の便蓋内側に、裏面に粘着剤を塗布した略Ａ４タイプの大きさの殺菌・除菌・抗菌等の機能を有する機能シートを貼付し、便蓋閉蓋時に機能シート表面から便器本体内部と共に便器本体の周囲にも殺菌・除菌・抗菌等の機能作用を及ぼすように構成した殺菌等機能を有する腰かけ便器。
【請求項２】
殺菌・除菌・抗菌等の機能を有する機能シートとしては、
紙質のシート本体の表面に薬剤を塗布し、裏面に粘着剤を塗布すると共に、薬剤としては水酸化カルシウムを基本としスサ、海藻糊、水性塗料樹脂を混合して構成したことを特徴とする請求項１に記載の殺菌等機能を有する腰かけ便器。
【請求項３】
塗布した薬剤表面或いは機能シート表面には宣伝広告の機能も具備する文字や図形を印刷したことを特徴とする請求項１または請求項２に記載の殺菌等機能を有する腰かけ便器。
【発明の詳細な説明】
【技術分野】
【０００１】
本発明は、殺菌等機能を有する腰かけ便器に関する。
【背景技術】
【０００２】
従来、便器に殺菌シートを組み合わせた技術は多々ある。
例えば、腰かけ便器の弁蓋の内側にホルダーを取りつけて芳香剤や除菌剤や消臭剤などをケースごと取付けるものや、弁蓋の表面に光触媒を坦持した便蓋シートを張設するもの等がある（特許文献１,２,３）。
【先行技術文献】
【特許文献】
【０００３】
【特許文献１】実登３１９８７８６号公報
【特許文献２】特開２００５−１５２２０７号公報
【特許文献３】特開２０１８−０３８７８２号公報
【発明の概要】
【発明が解決しようとする課題】
【０００４】
しかし、これらの腰かけ便器と殺菌剤との組み合わせの技術は単に便器の周囲に殺菌剤や抗菌剤の機能を及ぼすように構成したものであり、そのために便器の装置しやすい個所に殺菌剤等の発生源を装置するものであり、殺菌剤等の機能を最大限に発揮することができるものではなかった。しかも、これらの殺菌剤の保持機能には特に宣伝広告の機能も具備するものでもなく単に抗菌や殺菌の機能のみの便器であった。
【０００５】
本件発明は、これらの殺菌等の機能を最大限に発揮できるように腰かけ便器の便蓋裏面の所定位置に殺菌シートを張設して宣伝機能と共に殺菌機能を最大限に発揮できる殺菌等機能を有する腰かけ便器を提供する。
【課題を解決するための手段】
【０００６】
本発明の態様の１つは、便器本体の便蓋内側に、裏面に粘着剤を塗布した略Ａ４タイプの大きさの殺菌・除菌・抗菌等の機能を有する機能シートを貼付し、便蓋閉蓋時に機能シート表面から便器本体内部と共に便器本体の周囲にも殺菌・除菌・抗菌等の機能作用を及ぼすように構成した殺菌等機能を有する腰かけ便器に関する。
【０００７】
また、本発明の選択的な態様の１つにおいて、殺菌・除菌・抗菌等の機能を有する機能シートとしては、紙質のシート本体の表面に薬剤を塗布し、裏面に粘着剤を塗布すると共に、薬剤としては水酸化カルシウムを基本としスサ、海藻糊、水性塗料樹脂を混合して構成したことを特徴とする。
【０００８】
また、本発明の選択的な態様の１つにおいて、塗布した薬剤表面或いは機能シート表面には宣伝広告の機能も具備する文字や図形を印刷したことを特徴とする。
【発明の効果】
【０００９】
本発明に係る粉体塗布装置によれば、便器本体の便蓋内側に、裏面に粘着剤を塗布した略Ａ４タイプの大きさの殺菌・除菌・抗菌等の機能を有する機能シートを貼付し、便蓋閉蓋時に機能シート表面から便器本体内部と共に便器本体の周囲にも殺菌・除菌・抗菌等の機能作用を及ぼすように構成したことにより、
便器本体の非使用時に閉蓋した状態において機能シートが殺菌・除菌・抗菌等の機能を発揮する。
特に閉蓋しているために殺菌等の機能は直接的に便器本体の便器ボウル部分に作用して閉蓋状態の便器ボウル内空間を殺菌、除菌する。
しかも、弁蓋と便座との間には略密着状態であるが弁蓋と便器本体の便器ボウル周縁部との間には弁蓋閉蓋時の緩衝剤としてゴム等のスペーサ―が介在しているため一定の隙間が形成されている。従って、この隙間から便器ボウルに充満した殺菌・除菌・抗菌等の機能薬剤が漏れて便器本体の外にも拡散して便所内空間における殺菌等を行うことができる効果がある。
他方、弁蓋を開放した時には弁蓋の裏面が立ち上がった状態であるために便器本体の便器ボウル内の上方から便所空間全体に殺菌等の機能を及ぼすことができる。
従って、男性の小用のために弁蓋を持ち上げて立てた状態とした場合は小用時の周辺雰囲気の殺菌等と共に飛び跳ね小用に対する殺菌等の機能も果たすことができる効果がある。
しかし、男性の立ち小用時や弁蓋跳ね上げ状態での着座使用時では弁蓋の内面に貼着された機能シートは立ち上がった状態であるために便所内空間に露出している。従って、便所内空間全体に対して主体的に殺菌等の機能を果たすが、便器本体の非使用時には基本的に弁蓋を閉蓋しておくことにより主体的には雑菌が最も多い便器本体の便器ボウル内空間の殺菌等を行うことができ、副次的には弁蓋と便器ボウル周縁部との間の間隙から薬剤の拡散が行われて便所内全体の殺菌等の機能を果たすことで便器本体内外の殺菌を効率的に実施できる効果がある。
【００１０】
請求項２に係る発明によれば、殺菌・除菌・抗菌等の機能を有する機能シートとしては、紙質のシート本体の表面に薬剤を塗布し、裏面に粘着剤を塗布すると共に、薬剤としては水酸化カルシウムを基本としスサ、海藻糊、水性塗料樹脂を混合して構成したことにより、機能シートを単に弁蓋の内側に張設するだけの作業で便所における衛生的な環境を生成することができる効果がある。
しかも、紙質のシート本体の表面に薬剤を塗布したものであるため取扱いも簡便でありコスト的にも有利であり、また、薬剤としては水酸化カルシウムを基本としスサ、海藻糊、水性塗料樹脂を混合して構成したものであるために強力な殺菌等の機能を一定期間果たすことができシート本体の取り換えも弁蓋裏面から剥離して張設し直すだけでよいためシート本体の交換も簡便に行える効果がある。
特に薬剤が水酸化カルシウムを基本としスサ、海藻糊、水性塗料樹脂を混合して構成しているために紙質表面に容易に塗布することができ、薬剤の塗布厚さを調整することにより薬剤の機能期間や効能の調整をすることができる効果がある。
【００１１】
請求項３に係る発明によれば、塗布した薬剤表面或いは機能シート表面には宣伝広告の機能も具備する文字や図形を印刷したことにより、弁蓋を上げて使用する際には殺菌等の機能と共に広告宣伝機能も果たすことができ広告スポンサーの有料化により機能シートのコストの低減にも役立てることができる効果がある。
【図面の簡単な説明】
【００１２】
【図１】本発明の実施形態における腰かけ便器を示す斜視図である。
【図２】本発明の実施形態における便蓋と機能シートを示す図１におけるＡ−Ａ断面図である。
【図３】本発明の実施形態における腰かけ便器の便蓋を閉塞した状態を示す斜視図である。
【図４】本発明の実施形態における便蓋と便座と便器の関係を示す図３におけるＢ−Ｂ断面図である。
【図５】本発明の実施形態におけるビジネスモデルを示す図である。
【発明を実施するための形態】
【００１３】
この発明の要旨は、便器本体の便蓋内側に、裏面に粘着剤を塗布した略Ａ４タイプの大きさの殺菌・除菌・抗菌等の機能を有する機能シートを貼付し、便蓋閉蓋時に機能シート表面から便器本体内部と共に便器本体の周囲にも殺菌・除菌・抗菌等の機能作用を及ぼすように構成したことにある。
また、殺菌・除菌・抗菌等の機能を有する機能シートとしては、紙質のシート本体の表面に薬剤を塗布し、裏面に粘着剤を塗布すると共に、薬剤としては水酸化カルシウムを基本としスサ、海藻糊、水性塗料樹脂を混合して構成したことにある。
また、塗布した薬剤表面或いは機能シート表面には宣伝広告の機能も具備する文字や図形を印刷したことにある。
【００１４】
この発明の実施例を図面に基づき詳細に説明する。
図１は、便器本体１００の便蓋１０を開放した状態で便蓋１０の裏面（内側）に機能シート２０を張設した状態を示している。
【００１５】
機能シート２０は大きさを略Ａ４タイプにしており、この大きさ規格は通常の便蓋１０の大きさを勘案していずれの便蓋１０に対しても便蓋１０の内面に最大公約数的に共通して適応できる大きさとしている。
【００１６】
殺菌・除菌・抗菌等の機能を有する機能シート２０は、基本的にはＣａ（ＯＨ）２消石灰を漆喰塗料として使用すると共に、これにスサ、海藻糊、水性塗料樹脂を混合して構成している。
具体的には、Ｃａ（ＯＨ）２消石灰は０.３６ｋｇ／ｍ２の量を使用している。
また、機能シート２０の裏面には粘着剤２１を塗布しており、この粘着剤２１はアクリルゴムを使用する。
かかる機能シート２０は、大腸菌、黄色ブドウ球菌、緑膿菌、ＭＲＳＡに対する抗菌性を有し、また、ノロウイルス、インフルエンザウイルスを不活性化する抗ウイルス機能を有し、ペット臭やたばこ臭や生ごみ臭等の生活臭やトイレ臭を除去する消臭機能を有する。
【００１７】
<消臭性能試験>
かかる効果を検証するために本発明の機能シート２０を用いて、アンモニア、酢酸、メチルメルカブタン、硫化水素、インドールに対する消臭性能を試験した。その試験方法は、繊維評価技術協議会法の消臭性試験、及びＳＥＫマーク繊維製品認証基準用に基づき、２０℃、湿度６５％環境下で２４時間以上調湿された１００ｃｍ２（インドールのみ５０ｃｍ２）の機能シート２０を使用し、該機能シート２０を５Ｌのサンプリングバッグ内に封入し、３０分後、２時間後、２４時間後の揮発するガス濃度を検知管法又はガスクロマトグラフ法により測定した。それぞれのサンプリングバッグ内のガス初期濃度はアンモニア１００ｐｐｍ、酢酸３０ｐｐｍ、メチルメルカブタン８ｐｐｍ、硫化水素４ｐｐｍ、インドール３３ｐｐｍであり、所定時間経過後の濃度は表１〜表５に示すとおりである。
【００１８】
【表１】
2020010820.tif 000003
【表２】
2020010820.tif 000004
【表３】
2020010820.tif 000005
【表４】
2020010820.tif 000006
【表５】
2020010820.tif 000007
【００１９】
上記条件下で測定した結果、表１〜５に示すように、測定した４成分について２４時間後には所期測定値と比較して約９０％の減少が確認された。
【００２０】
<抗菌性能試験>
また、本発明者は抗菌加工製品抗菌性試験方法、ＪＩＳＺ２８０１−２０００に従い、シャーレに菌を接種し、無加工状態と抗菌加工した状態で周囲温度３５℃、相対湿度９０％以上の条件下で２４時間培養し、菌液接種直後及び２４時間培養後の機能シート２０の試料片３個の生菌数を測定することで機能シート２０の抗菌性能についても確認した。本試験では、大腸菌、黄色ぶどう球菌、緑膿菌、ＭＲＳＡの４種類について測定した。その測定結果を表６に示す。
【００２１】
【表６】
2020010820.tif 000008
【００２２】
上記条件下で測定した結果、表６に示すように、無加工のシャーレ内においては測定した全ての菌が２４時間後には増加したのに対して、本件発明の機能シート２０の試料片を同梱したシャーレ内ではほぼ全ての菌が死滅しており検出されなかった。
【００２３】
また、本発明者は空間内の浮遊ウイルスの除去性能評価試験を参考にトイレを模した畳約６畳分の約２５ｍ２（縦４０００ｍｍ×横２７７６ｍｍ×２２６３ｍｍ）の室内に大腸菌を散布し、この大腸菌を散布しただけの空間と、本件発明の機能シート２０を貼り合わせてハンガーラックに引掛けたものを４箇所室内に吊下げ、さらに吊下げた機能シート２０が揺動する程度にサーキュレーターを使用して空気を対流させた空間と、で構成した２つの空間において２時間経過後のそれぞれの室内における生菌数を確認した。その結果を表７に示す。
【００２４】
【表７】
2020010820.tif 000009
【００２５】
上記条件下で測定した結果、表７に示すように、大腸菌を室内に散布しただけの検体未設置の室内では散布した大腸菌が約５０％減少したのに対して、本件発明の機能シート２０を設置した室内では約７５％減少した。
【００２６】
＜抗ウイルス性能試験＞
また、本発明者は抗ウイルスの検証実験として、本件発明の機能シート２０の試料片を内包したシャーレと、何も内包していない空のシャーレを準備し、それぞれのシャーレ内にウイルス液を注入し、３０分放置後、６０分放置後のそれぞれのシャーレ内におけるウイルスの感染価について確認した。この試験では、抗菌性能について確認するため、抗ウイルス塗料単独で実験した結果、抗ウイルス塗料の中性化を促進した塗料を塗布した機能シート２０の試料片を内包したもの、抗ウイルスシートのみをシャーレに内包したもの、の３条件にシャーレ内に何も内包しない条件を追加した４条件を確認した。また、この実験で使用されるウイルス液はエンベロープウイルスとノンエンベロープウイルスの２種類とし、さらに、エンベロープウイルスはインフルエンザウイルス、水泡性口内炎ウイルス、ウシ丘疹性口炎ウイルスの３種類であり、ノンエンベロープウイルスはイヌパルボウウイルスである。その結果を表８から表１１に示す。
【００２７】
【表８】
2020010820.tif 000010
【表９】
2020010820.tif 000011
【表１０】
2020010820.tif 000012
【表１１】
2020010820.tif 000013
【００２８】
上記条件下で測定した結果、表８から表１１に示すようにシャーレ内に本件発明の機能シート２０の試料片とウイルス液を同梱したシャーレではウイルス液のみをシャーレ内に内包した条件と比較して約９９％のウイルスの減少が確認された。
【００２９】
かかる機能シート２０のシート本体２２に浸漬した薬剤２３の機能は次のようなメカニズムによって生成される。
すなわち、薬剤２３の塗幕表面や内部には多数の細孔があり、その分表面積が広くウイルス液はかかる広範囲の面積の薬剤２３と接触する。ウイルス液が薬剤２３に付着するとウイルスの周辺の水分は薬剤２３を構成するＣａ（ＯＨ）２消石灰によって強アルカリ性となりウイルス液の強アルカリ性化によってウイルスの構造が破壊され感染価が減少する。
すなわち、ウイルスの周囲環境が強アルカリ性になると脂質やたんぱく質の変性を引き起こしウイルスの構造が破壊される。
ウイルスは一般に咳、くしゃみによる飛沫中吐しゃ物など水分と共に存在する。
薬剤２３のこのような機能により抗菌、抗ウイルス効果が発揮される。
【００３０】
かかる殺菌等の機能を有する腰かけ便器Ｔは、便蓋１０を閉めて殺菌等を行うことから機能するものである。すなわち、便蓋１０を閉めた状態で水洗をすることにより機能シート２０は汚物等に対して対面状態で接することになり水洗で便器ボウル３０内に飛散するウイルス等の菌を機能シート２０で吸着し殺菌する。
すなわち、通常、便蓋１０を開放して水洗すると便器ボウル３０内を洗浄する水流により排便等に含まれているウイルスや細菌が便蓋１０を解放した便器ボウル３０内から空中にばら撒かされ、しかも、空中にばら撒かされたウイルスの潜伏期間が９０分以上もあり次に腰かけ便器Ｔを使用する人への二次感染を引き起こしてしまう。
かかる感染を防止するために本件発明の腰かけ便器Ｔにおいては、便蓋１０の裏に機能シート２０を貼着して便蓋１０を閉めて水洗するという本件の特徴的な技術が生成された。
【００３１】
本件発明の重要な特徴はかかる機能シート２０の貼着箇所と便蓋１０の閉蓋構成とにある。
【００３２】
図３及び図４に示すように、便座４０の背面、すなわち、便器ボウル３０の周縁部との間には緩衝材としてゴムなどの弾性体で構成されたスペーサ４１を配設しており、該スペーサ４１が介在することで便蓋１０を閉塞した場合でも便器ボウル３０と便座４０との間に若干の隙間が形成されている。そのため、便蓋１０を閉塞した状態でもこの隙間から機能シート２０に塗布した薬剤２３が拡散して便所内空間における殺菌等を行うことができる。
【００３３】
また、図２に示すように、殺菌・除菌・抗菌等の機能を有する機能シート２０は、紙質のシート本体２２の表面に薬剤２３を塗布し、裏面に粘着剤２１、例えば、アクリルゴムを塗布すると共に、薬剤２３としては水酸化カルシウムを基本としたことにあり、しかも、塗布した薬剤２３の表面或いは機能シート２０の表面には宣伝広告の機能も具備する文字や図形を印刷して印字面を形成している。
そのため、腰かけ便器Ｔの使用者は使用時に便蓋１０を開けると便蓋１０の開放と同時に機能シート２０が眼前に現れて用を足す間に機能シート２０に印刷された印字面２４の宣伝広告表示を認識することができ殺菌等の機能と共に広告宣伝機能も有する。
【００３４】
かかる本発明の構成である便器本体１００の便蓋１０の内側に、裏面に粘着剤２１を塗布した略Ａ４タイプの大きさの殺菌・除菌・抗菌等の機能を有する機能シート２０を貼付し、便蓋１０の閉蓋時に機能シート２０の表面から便器本体１００内部と共に便器本体１００の周囲にも殺菌・除菌・抗菌等の機能作用を及ぼすように構成した殺菌等機能を有する腰かけ便器Ｔは衛生的な面からの特徴を有すると共に、事業的には機能シート２０への宣伝広告機能により、「便器の占有者・甲」と便器の便蓋内側に張設する「機能シートの宣伝広告印刷及び施工業者・乙」と「宣伝広告を希望する事業者・丙」との三者による新しいビジネスモデルの関係が形成される。
【００３５】
すなわち、図５に示すように、「便器の占有者・甲」は便所空間における殺菌等の衛生面からの需要を必要としており、便器の便蓋内側に張設する「機能シートの宣伝広告印刷及び施工業者・乙」は甲からの要望によりかかる機能シート２０の施工を行う業者として事業を行うことができ、他方、乙は「宣伝広告を希望する事業者・丙」から宣伝の依頼を受けて機能シート２０に宣伝広告表示を行い機能シート２０の施工を行う。
【００３６】
このように本件発明はかかる新しいビジネスモデルの構築が可能となるビジネスモデルシステムとして機能することもできる。
【００３７】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成等も含まれる。また、本発明の技術的範囲は上述した実施形態に限定されず、特許請求の範囲に記載された事項とその均等物まで及ぶものである。
【符号の説明】
【００３８】
Ｔ  腰かけ便器
１００  便器本体
１０  便蓋
２０  機能シート
２１  粘着剤
２２  シート本体
２３  薬剤
２４  印字面
３０  便器ボウル
４０  便座
４１  スペーサ
【図１】
2020010820.tif 000014
【図２】
2020010820.tif 000015
【図３】
2020010820.tif 000016
【図４】
2020010820.tif 000017
【図５】
2020010820.tif 000018